(57)【要約】  糖化ヘモグロビンおよびグルコースの両方の分析において、装置の小型化、分析の簡略化および分析時間の短縮が可能で、且つ糖化ヘモグロビンおよびグルコースの両方を高精度に分析可能な分析チップを提供する。  上基板４と、下基板１と、第１の導入槽２ａと、第１の回収槽２ｂと、試料分析用のキャピラリー流路３ｘとを含み、前記下基板１上に、前記第１の導入槽２ａと前記第１の回収槽２ｂとが形成され、前記第１の導入槽２ａと前記第１の回収槽２ｂとが、前記試料分析用のキャピラリー流路３ｘで連通されている。
2008139867.tif 000002
【特許請求の範囲】
【請求項１】
糖化ヘモグロビンおよびグルコースの両方を分析可能な分析チップであって、
少なくとも前記糖化ヘモグロビンの分析が、キャピラリー電気泳動法で行われ、
基板と、複数の液槽と、前記キャピラリー電気泳動法のためのキャピラリー流路とを含み、
前記複数の液槽は、第１の導入槽と第１の回収槽とを含み、
前記キャピラリー流路は、試料分析用のキャピラリー流路を含み、
前記基板上に、前記第１の導入槽と前記第１の回収槽とが形成され、
前記第１の導入槽と前記第１の回収槽とが、前記試料分析用のキャピラリー流路で連通されていることを特徴とする分析チップ。
【請求項２】
前記複数の液槽が、さらに、第２の導入槽と第２の回収槽とを含み、
前記キャピラリー流路が、さらに、試料導入用のキャピラリー流路を含み、
前記基板上に、前記第２の導入槽と第２の回収槽とが形成され、
前記第２の導入槽と前記第２の回収槽とが、前記試料導入用のキャピラリー流路で連通されており、
前記試料分析用のキャピラリー流路と前記試料導入用のキャピラリー流路は、交差しており、
前記試料分析用のキャピラリー流路と前記試料導入用のキャピラリー流路とが、前記交差部分で連通されている請求の範囲１記載の分析チップ。
【請求項３】
前記試料分析用のキャピラリー流路の一部から第１の分岐流路が分岐され、
前記第１の分岐流路は、前記第２の導入槽に連通され、
前記第１の分岐流路より下流側の前記試料分析用のキャピラリー流路の一部から第２の分岐流路が分岐され、
前記第２の分岐流路は、前記第２の回収槽に連通され、
前記第１の分岐流路と、前記第２の分岐流路と、それらを結ぶ前記試料分析用のキャピラリー流路の一部とで前記試料導入用のキャピラリー流路が形成されている請求の範囲２記載の分析チップ。
【請求項４】
チップ全体の最大長さが、１０〜１００ｍｍの範囲であり、チップ全体の最大幅が、１０〜６０ｍｍの範囲であり、チップ全体の最大厚みが、０．３〜５ｍｍの範囲である請求の範囲１記載の分析チップ。
【請求項５】
前記糖化ヘモグロビンおよび前記グルコースの分析時において、前記複数の液槽の少なくとも一つの槽に、前記糖化ヘモグロビンおよび前記グルコースを含む試料が電気泳動液で希釈された希釈試料が導入される分析チップであって、前記試料：前記電気泳動液（体積比）が、１：４〜１：９９の範囲である請求の範囲１記載の分析チップ。
【請求項６】
前記キャピラリー流路に電気泳動液が充填されている請求の範囲１記載の分析チップ。
【請求項７】
前記キャピラリー流路において、その最大径が、１０〜２００μｍの範囲であり、その最大長さが、０．５〜１５ｃｍの範囲である請求の範囲１記載の分析チップ。
【請求項８】
さらに、前記糖化ヘモグロビンおよび前記グルコースを含む試料を溶血させ、且つ希釈するための前処理槽を含み、前記前処理槽と前記複数の液槽の少なくとも一つの槽とが連通されている請求の範囲１記載の分析チップ。
【請求項９】
さらに、グルコース分析用試薬を含み、
前記グルコース分析用試薬は、前記複数の液槽および前記前処理槽の少なくとも一つの槽に含まれている請求の範囲１記載の分析チップ。
【請求項１０】
さらに、試薬槽を含み、
前記試薬槽は、グルコース分析用試薬を含み、且つ、前記複数の液槽および前記前処理槽の少なくとも一つの槽と連通されている請求の範囲１記載の分析チップ。
【請求項１１】
前記グルコース分析用試薬が、前記グルコースを基質とした酸化還元反応に伴って発色する試薬を含む請求の範囲９記載の分析チップ。
【請求項１２】
さらに、電極法用の電極およびグルコース分析用試薬を含み、
前記電極法用の電極および前記グルコース分析用試薬は、前記複数の液槽および前記前処理槽の少なくとも一つの槽の内部に位置するように配置されており、
前記電極法用の電極および前記グルコース分析用試薬を用いた電極法により前記グルコースの分析が行われる請求の範囲１記載の分析チップ。
【請求項１３】
前記電極法用の電極および前記グルコース分析用試薬が、前記第１の導入槽、前記第２の導入槽および前記前処理槽の少なくとも一つの槽の内部に位置するように配置されている請求の範囲１２記載の分析チップ。
【請求項１４】
前記グルコースの分析が、キャピラリー電気泳動法により行われる請求の範囲１記載の分析チップ。
【請求項１５】
さらに、間接吸光法（インダイレクトＵＶ検出法）により前記グルコースを分析する検出器を含む請求の範囲１４記載の分析チップ。
【請求項１６】
前記グルコースが、イオン性官能基を導入したグルコース誘導体である請求の範囲１４記載の分析チップ。
【請求項１７】
前記糖化ヘモグロビンが、ＨｂＡ１ｃである請求の範囲１記載の分析チップ。
【請求項１８】
前記基板が、上基板と下基板とを含み、
前記上基板には、複数の貫通孔が形成されており、
前記下基板上には、溝が形成され、
前記下基板上に前記上基板が積層されており、
前記上基板に形成された複数の貫通孔の底部が、前記下基板で封止されることで形成される空間が前記複数の液槽となり、
前記下基板上に形成された溝の上部が、前記上基板で封止されることで形成される空間が前記キャピラリー流路となる請求の範囲１記載の分析チップ。
【請求項１９】
前記基板上に、複数の凹部および溝が形成され、
前記基板表面が、前記複数の凹部に対応した位置に穴のあいたシール材でシールされ、
前記基板上に形成された複数の凹部が、前記複数の液槽となり、
前記基板上に形成された溝の上部が、前記シール材で封止されることで形成される空間が前記キャピラリー流路となる請求の範囲１記載の分析チップ。
【請求項２０】
さらに、シール材を含み、
前記基板には、複数の貫通孔が形成されており、
前記基板の底面には、溝が形成され、
前記基板の底面が、前記シール材でシールされ、
前記基板に形成された複数の貫通孔の底部が、前記シール材で封止されることで形成される空間が前記複数の液槽となり、
前記基板の底面に形成された溝の下部が、前記シール材で封止されることで形成される空間が前記キャピラリー流路となる請求の範囲１記載の分析チップ。
【請求項２１】
前記基板とは別の部材であるキャピラリー管で前記複数の液槽が連通され、前記キャピラリー管が前記キャピラリー流路となる請求の範囲１記載の分析チップ。
【請求項２２】
前記複数の液槽の容積が、それぞれ、１〜１０００ｍｍ３の範囲である請求の範囲１記載の分析チップ。
【請求項２３】
さらに、複数のキャピラリー電気泳動法用の電極を有し、
前記複数のキャピラリー電気泳動法用の電極は、それぞれ、その一端が前記複数の液槽内に位置するように配置されている請求の範囲１記載の分析チップ。
【請求項２４】
分析チップと分析部とを含む分析装置であって、
前記分析チップが、請求の範囲１記載の分析チップである分析装置。
【請求項２５】
さらに、電極法用の電極を含む請求の範囲２４記載の分析装置。
【発明の詳細な説明】
【技術分野】
【０００１】
本発明は、分析チップおよび分析装置に関する。
【背景技術】
【０００２】
生体の状態を示す指標として、例えば、糖尿病の治療または診断目的のために、糖化ヘモグロビンとグルコースの両方を分析することが広く行われている。血球中のヘモグロビン（Ｈｂ）の糖化率、特にＨｂＡ１ｃは、生体内血糖値の過去の履歴を反映していることから、糖尿病の診断や治療などにおける重要な指標とされている。ＨｂＡ１ｃは、ＨｂＡ（α２β２）のβ鎖Ｎ末端のバリンが糖化したものである。【０００３】
ＨｂＡ１ｃは、例えば、免疫法、酵素法、高速液体クロマトグラフィー（ＨＰＬＣ）法等により分析されている。一般に、免疫法および酵素法は、多量の検体を処理し、分析する場合に用いられているが、合併症のリスクを判断するには精度が低い。一方、ＨＰＬＣ法は、処理能力では免疫法および酵素法に劣るが、合併症のリスク判断において有用である。しかし、ＨＰＬＣ法では、構造上、分析装置が非常に大型で高価である。一方、グルコースは、例えば、酵素法、電極法等により分析されている。【０００４】
ＨｂＡ１ｃとグルコースの両方を分析可能な装置としては、例えば、ＨｂＡ１ｃを免疫法で分析し、グルコースを酵素法で分析する装置がある。また、ＨｂＡ１ｃをＨＰＬＣ法で分析し、グルコースを電極法で分析する装置もある。特に、後者は、試料（検体）中のＨｂＡ１ｃの含有量を精度よく分析することが可能であるため、検査現場において有用である。【０００５】
しかし、これら従来の装置は、ＨｂＡ１ｃ分析装置とグルコース分析装置とをつなげて一台の装置としたものであるため、設置面積と、装置本体および消耗品にかかるコストとが、二台分必要であるという問題がある。特に、ＨＰＬＣ法を用いた装置は、前述の通りＨｂＡ１ｃの分析精度がよいが、以下の（１）〜（４）のような問題点がある。すなわち、（１）前述のように、構造上、分析装置が非常に大型で高価である。例えば、構成部品が多く、高圧ポンプ等の小型化が難しい。（２）高精度で分析可能な状態に装置を維持し、実際に高精度で分析するためには、熟練を要する。（３）使用試薬量が多く、大量の廃液が生じる。（４）少数検体を分析する場合であっても、立ち上げ作業に時間を要する。これらの問題は、ＨｂＡ１ｃのみならず、糖化ヘモグロビンとグルコースの両方を分析する場合全体の問題である。
【発明の開示】
【０００６】
そこで、本発明は、糖化ヘモグロビンおよびグルコースの両方の分析において、装置の小型化、分析の簡略化および分析時間の短縮が可能で、且つ糖化ヘモグロビンおよびグルコースの両方を高精度に分析可能な分析チップを提供することを目的とする。
【０００７】
前記目的を達成するために、本発明の分析チップは、糖化ヘモグロビンおよびグルコースの両方を分析可能な分析チップであって、
少なくとも前記糖化ヘモグロビンの分析が、キャピラリー電気泳動法で行われ、
基板と、複数の液槽と、前記キャピラリー電気泳動法のためのキャピラリー流路とを含み、
前記複数の液槽は、第１の導入槽と第１の回収槽とを含み、
前記キャピラリー流路は、試料分析用のキャピラリー流路を含み、
前記基板上に、前記第１の導入槽と前記第１の回収槽とが形成され、
前記第１の導入槽と前記第１の回収槽とが、前記試料分析用のキャピラリー流路で連通されていることを特徴とする。
【０００８】
本発明の分析装置は、分析チップと分析部とを含む分析装置であって、前記分析チップが、前記本発明の分析チップであることを特徴とする。
【０００９】
本発明の分析チップは、第１の導入槽と第１の回収槽とが基板上に形成され、前記第１の導入槽と前記第１の回収槽とが、試料分析用のキャピラリー流路で連通されたチップである。このため、本発明によれば、糖化ヘモグロビンおよびグルコースの両方の分析において、装置の小型化、分析の簡略化および分析時間の短縮が可能で、且つ糖化ヘモグロビンおよびグルコースの両方を高精度に分析可能である。したがって、本発明の分析チップによれば、例えば、ＰＯＣ（Ｐｏｉｎｔ  Ｏｆ  Ｃａｒｅ）検査での糖化ヘモグロビンおよびグルコースの精密分析が可能となり、合併症のリスク管理も可能となる。
【図面の簡単な説明】
【００１０】
【図１】図１は、本発明の一実施例における分析チップを示す図である。
【図２】図２は、前記分析チップの製造工程の一例を示す工程図である。
【図３】図３は、前記分析チップの製造工程のその他の例を示す工程図である。
【図４】図４は、キャピラリー電気泳動法用の電極を有する前記分析チップを示す図である。
【図５】図５は、本発明の前記分析チップを含む分析装置の一例を示す図である。
【図６】図６は、本発明の前記分析チップを含む分析装置のその他の例を示す図である。
【図７】図７は、本発明のその他の実施例における分析チップを示す図である。
【図８】図８は、本発明のさらにその他の実施例における分析チップを示す図である。
【図９】図９は、本発明のさらにその他の実施例の分析チップを示す図である。
【図１０】図１０は、キャピラリー電気泳動法用の電極を有する前記分析チップを示す図である。
【図１１】図１１は、本発明の前記分析チップを含む分析装置のさらにその他の例を示す図である。
【図１２】図１２は、本発明のさらにその他の実施例の分析チップを示す図である。
【図１３】図１３は、本発明のさらにその他の実施例の分析チップを示す図である。
【図１４】図１４は、本発明のさらにその他の実施例の分析チップを示す図である。
【発明を実施するための最良の形態】
【００１１】
本発明の分析チップにおいて、前記複数の液槽が、さらに、第２の導入槽と第２の回収槽とを含み、
前記キャピラリー流路が、さらに、試料導入用のキャピラリー流路を含み、
前記基板上に、前記第２の導入槽と前記第２の回収槽とが形成され、
前記第２の導入槽と前記第２の回収槽とが、前記試料導入用のキャピラリー流路で連通されており、
前記試料分析用のキャピラリー流路と前記試料導入用のキャピラリー流路は、交差しており、
前記試料分析用のキャピラリー流路と前記試料導入用のキャピラリー流路とが、前記交差部分で連通されていてもよい。【００１２】
本発明の分析チップにおいて、前記試料分析用のキャピラリー流路の一部から第１の分岐流路が分岐され、
前記第１の分岐流路は、前記第２の導入槽に連通され、
前記第１の分岐流路より下流側の前記試料分析用のキャピラリー流路の一部から第２の分岐流路が分岐され、
前記第２の分岐流路は、前記第２の回収槽に連通され、
前記第１の分岐流路と、前記第２の分岐流路と、それらを結ぶ前記試料分析用のキャピラリー流路の一部とで前記試料導入用のキャピラリー流路が形成されていてもよい。【００１３】
本発明の分析チップにおいて、チップ全体の最大長さは、例えば、１０〜１００ｍｍの範囲であり、好ましくは、３０〜７０ｍｍの範囲であり、チップ全体の最大幅は、例えば、１０〜６０ｍｍの範囲であり、チップ全体の最大厚みは、例えば、０．３〜５ｍｍの範囲である。なお、前記チップ全体の最大長さとは、前記チップの長手方向の最長部の長さであり、前記チップ全体の最大幅とは、前記チップの前記長手方向とは垂直な方向（幅方向）の最長部の長さであり、前記チップ全体の最大厚みとは、前記チップの前記長手方向および前記幅方向の両方に垂直な方向（厚み方向）の最長部の長さである。【００１４】
本発明の分析チップは、前記糖化ヘモグロビンおよび前記グルコースの分析時において、前記複数の液槽の少なくとも一つの槽に、前記糖化ヘモグロビンおよび前記グルコースを含む試料が電気泳動液で希釈された希釈試料が導入される分析チップであって、前記試料：前記電気泳動液（体積比）が、１：４〜１：９９の範囲であることが好ましい。前記試料：前記電気泳動液（体積比）は、より好ましくは、１：９〜１：５９の範囲であり、さらに好ましくは、１：１９〜１：２９の範囲である。【００１５】
本発明の分析チップにおいて、前記キャピラリー流路に電気泳動液が充填されていることが好ましい。【００１６】
本発明の分析チップでは、前記キャピラリー流路において、その最大径は、例えば、１０〜２００μｍの範囲であり、好ましくは、２５〜１００μｍの範囲であり、その最大長さは、例えば、０．５〜１５ｃｍの範囲である。なお、前記キャピラリー流路の最大径とは、前記キャピラリー流路の断面形状が円でない場合には、断面積が最も大きい部分のその断面積に対応する面積の円の直径をいう。【００１７】
本発明の分析チップにおいて、前記キャピラリー流路の内壁を、陽極性基含有化合物により被覆してもよい。前記陽極性基含有化合物としては、例えば、前記陽極性基および反応基を含む化合物である。前記陽極性基としては、アミノ基、アンモニウム基が好ましい。前記陽極性基含有化合物として好ましいのは、アミノ基およびアンモニウム基の少なくとも一方を有するシリル化剤である。前記アミノ基は、一級、二級、三級のいずれであってもよい。【００１８】
前記シリル化剤としては、Ｎ−（２−ジアミノエチル）−３−プロピルトリメトキシシラン、アミノフェノキシジメチルビニルシラン、３−アミノプロピルジイソプロピルエトキシシラン、３−アミノプロピルメチルビス（トリメチルシロキシ）シラン、３−アミノプロピルペンタメチルジシロキサン、３−アミノプロピルシラントリオール、ビス（Ｐ−アミノフェノキシ）ジメチルシラン、１，３−ビス（３‐アミノプロピル）テトラメチルジシロキサン、ビス（ジメチルアミノ）ジメチルシラン、ビス（ジメチルアミノ）ビニルメチルシラン、ビス（２−ヒドロキシエチル）−３−アミノプロピルトリエトキシシラン、３−シアノプロピル（ジイソプロピル）ジメチルアミノシラン、（アミノエチルアミノメチル）フェネチルトリメトキシシラン、Ｎ−メチルアミノプロピルトリエトキシシラン、テトラキス（ジエチルアミノ）シラン、トリス（ジメチルアミノ）クロロシラン、トリス（ジメチルアミノ）シラン等があげられる。【００１９】
前記シリル化剤において、ケイ素原子をチタン若しくはジルコニウムに置換したものを用いてもよい。前記シリル化剤は、一種類を単独で使用してもよいし、二種類以上を併用してもよい。【００２０】
前記シリル化剤を用いた前記キャピラリー流路の内壁の被覆は、例えば、つぎのようにして実施する。まず、シリル化剤を有機溶媒に溶解若しくは分散させて処理液を調製する。前記処理液の調製に使用する前記有機溶媒としては、例えば、ジクロロメタン、トルエン等が使用できる。前記処理液のシリル化剤の濃度は、特に制限されない。この処理液を、前記キャピラリー流路に通液し、加熱する。この加熱によって、前記シリル化剤が前記キャピラリー流路の内壁に共有結合で結合し、その結果、陽極性基が前記キャピラリー流路の内壁に配置されることになる。その後、有機溶媒（ジクロロメタン、メタノール、アセトン等）、酸性溶液（リン酸等）、アルカリ性溶液および界面活性剤溶液の少なくとも一つで洗浄（後処理）する。なお、この洗浄は任意であるが、実施することが好ましい。また、後述のように、前記基板とは別の部材であるキャピラリー管が、前記キャピラリー流路となる場合には、市販の前記シリル化剤を用いて内壁が前記陽極性基含有化合物により被覆されたキャピラリー管を用いてもよい。【００２１】
前記陽極性基含有化合物により被覆された前記キャピラリー流路の内壁には、さらに、陰極性基含有化合物から形成された陰極性層が積層されていることが好ましい。これにより、後述の試料中のヘモグロビン等が、前記キャピラリー流路の内壁に吸着するのを防止できる。また、前記試料と前記陰極性基含有化合物とが複合体を形成し、これが電気泳動するため、試料単独で電気泳動するよりも分離効率が高くなる。これらの結果、より短時間で、より高精度に糖化ヘモグロビン等の分析を実施できる。前記試料と複合体を形成する前記陰極性基含有化合物としては、陰極性基含有多糖類が好ましい。前記陰極性基含有多糖類としては、例えば、硫酸化多糖類、カルボン酸化多糖類、スルホン酸化多糖類およびリン酸化多糖類があり、このなかで、硫酸化多糖類およびカルボン酸化多糖類が好ましい。前記硫酸化多糖類としては、コンドロイチン硫酸、ヘパリン等が好ましく、より好ましくは、コンドロイチン硫酸である。前記カルボン酸化多糖類としては、アルギン酸またはその塩（例えば、アルギン酸ナトリウム）が好ましい。コンドロイチン硫酸は、Ａ、Ｂ、Ｃ、Ｄ、Ｅ、Ｈ、Ｋの七種類があり、いずれを用いてもよい。前記陰極性層は、例えば、前記陰極性基含有化合物を含む液を前記陽極性基含有化合物により被覆された前記キャピラリー流路の内壁に接触させることにより、形成することができる。この場合、陰極性層を形成するための液を別途調製してもよいが、操作効率の面から、陰極性基含有化合物を含む電気泳動液を調製し、これを、内壁が前記陽極性基含有化合物により被覆された前記キャピラリー流路に通液することが好ましい。【００２２】
前記電気泳動液は、特に制限されないが、有機酸を用いた電気泳動液が好ましい。前記有機酸は、例えば、マレイン酸、酒石酸、コハク酸、フマル酸、フタル酸、マロン酸、リンゴ酸等がある。また、前記電気泳動液は、弱塩基を含むことが好ましい。前記弱塩基としては、例えば、アルギニン、リジン、ヒスチジン、トリス等がある。前記電気泳動液のｐＨは、例えば、ｐＨ４．５〜６の範囲である。前記電気泳動液において、前記陰極性基含有化合物の濃度は、例えば、０．００１〜１０重量％の範囲である。【００２３】
本発明の分析チップは、さらに、前記糖化ヘモグロビンおよび前記グルコースを含む試料を溶血させ、且つ希釈するための前処理槽を含み、前記前処理槽と前記複数の液槽の少なくとも一つの槽とが連通されていてもよい。前記前処理槽は、前記第１の導入槽および前記第２の導入槽の少なくとも一方と連通されていることが好ましく、いずれか一方のみと連通されていることがより好ましい。【００２４】
本発明において、前記グルコースの分析方法は、制限されず、従来公知の方法が採用できる。具定例として、例えば、前記グルコースを基質として酸化還元反応を行い、前記酸化還元反応の分析により、前記グルコースを分析する方法がある。この方法の場合、本発明の分析チップが、さらに、後述するようなグルコース分析用試薬を含むことが好ましい。本発明の分析チップが、さらに、前記グルコース分析用試薬を含む場合、前記グルコース分析用試薬は、例えば、前記複数の液槽および前記前処理槽の少なくとも一つの槽に含まれてもよい。また、本発明の分析チップは、さらに、試薬槽を含み、前記試薬槽に前記グルコース分析用試薬が含まれてもよい。この場合、前記試薬槽は、例えば、前記複数の液槽および前記前処理槽の少なくとも一つの槽と連通されていることが好ましい。【００２５】
つぎに、前記グルコース分析用試薬の具体例について、前記試薬に対応する前記グルコースの分析方法とあわせて説明する。ただし、本発明は、これに限定されない。【００２６】
まず、前記グルコース分析用試薬としては、例えば、グルコースオキシダーゼ、ペルオキシダーゼおよび発色基質を含む試薬があげられる。前記発色基質としては、例えば、酸化により発色する基質が好ましく、例えば、Ｎ−（カルボキシメチルアミノカルボニル）−４，４’−ビス（ジメチルアミノ）ジフェニルアミンナトリウム（商品名ＤＡ−６４、和光純薬工業社製）、１０−（カルボキシメチルアミノカルボニル）−３，７−ビス（ジメチルアミノ）フェノチアジンまたはその塩（例えば、商品名ＤＡ−６７、和光純薬社製）、Ｎ，Ｎ，Ｎ’，Ｎ’，Ｎ’’，Ｎ’’−ヘキサ（３−スルホプロピル）−４，４’，４’’−トリアミノトリフェニルメタンヘキサナトリウム塩（例えば、商品名ＴＰＭ−ＰＳ、同仁化学社製）、Ｎ−（カルボキシメチルアミノカルボニル）−４，４’−ビス（ジメチルアミノ）ジフェニルアミンナトリウム、オルトフェニレンジアミン（ＯＰＤ）、トリンダー試薬と４−アミノアンチピリンとを組み合わせた基質等があげられる。前記トリンダー試薬としては、例えば、フェノール、フェノール誘導体、アニリン誘導体、ナフトール、ナフトール誘導体、ナフチルアミン、ナフチルアミン誘導体等があげられる。また、４−アミノアンチピリンの他に、アミノアンチピリン誘導体、バニリンジアミンスルホン酸、メチルベンズチアゾリノンヒドラゾン（ＭＢＴＨ）、スルホン化メチルベンズチアゾリノンヒドラゾン（ＳＭＢＴＨ）等が使用できる。このようなグルコース分析用試薬を用いた場合、例えば、つぎのようにして前記グルコースを分析できる。すなわち、まず、前記グルコース（基質）にグルコースオキシダーゼを作用させて、グルコラクトンおよび過酸化水素を発生させる。そして、発生した前記過酸化水素と前記発色基質とを基質とする、ペルオキシダーゼの触媒反応（酸化還元反応）によって、前記発色基質が酸化され、発色を呈する。この発色程度は、前記過酸化水素の量に対応し、前記過酸化水素の量は、前記グルコースの量に対応することから、前記発色を測定することによって、間接的に前記グルコースを定量できる。【００２７】
また、前記グルコース分析用試薬としては、例えば、酸化還元酵素およびエレクトロクロミック物質を含む試薬もあげられる。前記エレクトロクロミック物質としては、例えば、電子の授受によって色調が変化するものであれば特に制限されない。具体例としては、例えば、ビオロゲン、ビオロゲン誘導体等があげられる。前記ビオロゲン誘導体としては、例えば、ジフェニルビオロゲン、ジニトロフェニルビオロゲン等があげられる。これらの中でも、好ましくは、ジニトロフェニルビオロゲンである。なお、これらのエレクトロクロミック物質は、市販品を用いてもよいし、従来公知の方法に従って調製することもできる。前記酸化還元酵素としては、例えば、グルコースオキシダーゼ（ＧＯＤ）、グルコースデヒドロゲナーゼ等があげられる。このようなグルコース分析用試薬を用いた場合、例えば、つぎのようにして前記グルコースを分析できる。すなわち、前記エレクトロクロミック物質の存在下で、前記グルコースに前記酸化還元酵素を作用させる。この酵素反応（酸化還元反応）により、前記グルコースから電子が遊離する。そして、遊離した前記電子が前記エレクトロクロミック物質に伝達されることにより、前記エレクトロクロミック物質の色調が変化する。この色調変化は、前記グルコースの量に対応することから、前記エレクトロクロミック物質の色調変化を測定することによって、間接的に前記グルコースを定量できる。【００２８】
さらに、前記グルコース分析用試薬としては、例えば、酸化還元酵素およびメディエータ機能を有するテトラゾリウム塩を含む試薬もあげられる。前記酸化還元酵素としては、例えば、前記エレクトロクロミック物質を含む前記試薬に使用した酵素と同様のものがあげられる。前記テトラゾリウム塩としては、例えば、ニトロフェニル基、チアゾリル基およびベンゾチアゾリル基の少なくとも一つの基を有するものが好ましい。前記テトラゾリウム塩としては、例えば、３−（４，５−Ｄｉｍｅｔｈｙｌ−２−ｔｈｉａｚｏｌｙｌ）−２，５−ｄｉｐｈｅｎｙｌ−２Ｈ−ｔｅｔｒａｚｏｌｉｕｍ  ｂｒｏｍｉｄｅ（ＭＴＴ）、２−（４−Ｉｏｄｏｐｈｅｎｙｌ）−３−（４−ｎｉｔｒｏｐｈｅｎｙｌ）−５−ｐｈｅｎｙｌ−２Ｈ−ｔｅｔｒａｚｏｌｉｕｍ  ｃｈｌｏｒｉｄｅ（ＩＮＴ）、３，３’−［３，３’−Ｄｉｍｅｔｈｏｘｙ−（１，１’−ｂｉｐｈｅｎｙｌ）−４，４’−ｄｉｙｌ］−ｂｉｓ［２−（４−ｎｉｔｒｏｐｈｅｎｙｌ）−５−ｐｈｅｎｙｌ−２Ｈ−ｔｅｔｒａｚｏｌｉｕｍ  ｃｈｌｏｒｉｄｅ］（Ｎｉｔｒｏ−ＴＢ）、２−（４−Ｉｏｄｏｐｈｅｎｙｌ）−３−（４−ｎｉｔｒｏｐｈｅｎｙｌ）−５−（２，４−ｄｉｓｕｌｆｏｐｈｅｎｙｌ）−２Ｈ−ｔｅｔｒａｚｏｌｉｕｍ，ｍｏｎｏｓｏｄｉｕｍ  ｓａｌｔ（ＷＳＴ−１）、２−（４−Ｉｏｄｏｐｈｅｎｙｌ）−３−（２，４−ｄｉｎｉｔｒｏｐｈｅｎｙｌ）−５−（２，４−ｄｉｓｕｌｆｏｐｈｅｎｙｌ）−２Ｈ−ｔｅｔｒａｚｏｌｉｕｍ，ｍｏｎｏｓｏｄｉｕｍ  ｓａｌｔ（ＷＳＴ−３）、２−ｂｅｎｚｏｔｈｉａｚｏｌｙｌ−３−（４−ｃａｒｂｏｘｙ−２−ｍｅｔｈｏｘｙｐｈｅｎｙｌ）−５−［４−（２−ｓｕｌｆｏｅｔｈｙｌｃａｒｂａｍｏｙｌ）ｐｈｅｎｙｌ］−２Ｈ−ｔｅｔｒａｚｏｌｉｕｍ（ＷＳＴ−４）、２，２’−ｄｉｂｅｎｚｏｔｈｉａｚｏｌｙｌ−５，５’−ｂｉｓ［４−ｄｉ（２−ｓｕｌｆｏｐｈｅｎｙｌ）ｃａｒｂａｍｏｙｌｐｈｅｎｙｌ］−３，３’−（３，３’−ｄｉｍｅｔｈｏｘｙ−４，４’−ｂｉｐｈｅｎｙｌｅｎｅ）ｄｉｔｅｔｒａｚｏｌｉｕｍ  ｄｉｓｏｄｉｕｍ  ｓａｌｔ（ＷＳＴ−５）、２−（２−Ｍｅｔｈｏｘｙ−４−ｎｉｔｒｏｐｈｅｎｙｌ）−３−（４−ｎｉｔｒｏｐｈｅｎｙｌ）−５−（２，４−ｄｉｓｕｌｆｏｐｈｅｎｙｌ）−２Ｈ−ｔｅｔｒａｚｏｌｉｕｍ，ｍｏｎｏｓｏｄｉｕｍ  ｓａｌｔ（ＷＳＴ−８）、２，３−Ｂｉｓ（４−ｎｉｔｒｏｐｈｅｎｙｌ）−５−ｐｈｅｎｙｌｔｅｔｒａｚｏｌｉｕｍ  Ｃｈｌｏｒｉｄｅ、２−（２−Ｂｅｎｚｏｔｈｉａｚｏｌｙｌ）−３，５−ｄｏｐｈｅｎｙｌｔｅｔｒａｚｏｌｉｕｍ  Ｂｒｏｍｉｄｅ、２−（２−Ｂｅｎｚｏｔｈｉａｚｏｌｙｌ）−３−（４−ｎｉｔｒｏｐｈｅｎｙｌ）−５−ｐｈｅｎｙｌｔｅｔｒａｚｏｌｉｕｍ  Ｂｒｏｍｉｄｅ、２，３−Ｄｉ（４−ｎｉｔｒｏｐｈｅｎｙｌ）ｔｅｔｒａｚｏｌｉｕｍ  Ｐｅｒｃｈｌｏｒａｔｅ、３−（３−Ｎｉｔｒｏｐｈｅｎｙｌ）−５−ｍｅｔｈｙｌ−２−ｐｈｅｎｙｌｔｅｔｒａｚｏｌｉｕｍ  Ｃｈｌｏｒｉｄｅ、３−（４−Ｎｉｔｒｏｐｈｅｎｙｌ）−５−ｍｅｔｈｙｌ−２−ｐｈｅｎｙｌｔｅｔｒａｚｏｌｉｕｍ  Ｃｈｌｏｒｉｄｅ等がある。このようなグルコース分析用試薬を用いた場合、例��ば、つぎのようにして前記グルコースを分析できる。すなわち、前記テトラゾリウム塩の存在下で、前記グルコースに酸化還元酵素を作用させる。この酵素反応（酸化還元反応）により、前記グルコースから電子が遊離する。そして、遊離した前記電子が前記テトラゾリウム化合物に伝達されることにより、前記テトラゾリウム化合物が発色する。この発色程度は、前記グルコースの量に対応することから、前記発色の程度を測定することによって、間接的に前記グルコースを定量できる。【００２９】
前記グルコースと前記グルコース分析用試薬との反応を測定する手段も、特に限定されず、適宜な光学的測定機器を用いることができる。前記光学的測定機器は、本発明の分析チップ（分析装置）の一部であってもよいし、外部の機器であってもよい。前記光学的測定機器は、特に限定されないが、例えば、分光光度計、フォトセンサー、ＵＶスペクトロメータ、ＬＥＤを組み込んだ光学的測定機器等を用いることができる。また、本発明の分析チップ（分析装置）において、前述のようなグルコース分析用試薬は、例えば、複数の成分（例えば、酵素や基質）が混合された状態で配置されてもよいし、各成分が別個独立に配置されてもよい。【００３０】
また、本発明において、前記グルコースの分析方法は、前述のような、前記酸化還元反応に伴って生じる発色の検出の他に、例えば、電極法であってもよい。前記電極法の場合、本発明の分析チップは、例えば、さらに、電極法用の電極（陰極および陽極）およびグルコース分析用試薬を含み、前記電極法用の電極および前記グルコース分析用試薬は、前記複数の液槽および前記前処理槽の少なくとも一つの槽の内部に位置するように配置されていることが好ましい。このような分析チップにおいては、例えば、前記電極法用の電極および前記グルコース分析用試薬を用いて、電極法により前記グルコースを分析することができる。前記電極法用の電極および前記グルコース分析用試薬は、例えば、前記第１の導入槽、前記第２の導入槽および前記前処理槽の少なくとも一つの槽の内部に位置するように配置されていることが、より好ましい。なお、本発明の分析チップにおいて、前記電極法用の電極は、任意の構成部材である。前記電極法用の電極は、例えば、前記分析チップの使用時に、前記複数の液槽および前記前処理槽の少なくとも一つの槽の内部に挿入してもよい。また、前記電極法用の電極は、例えば、本発明の分析装置の構成部材であってもよい。このような電極法に使用できる前記グルコース分析用試薬の具体例を、以下に示す。ただし、本発明は、これに限定されない。【００３１】
前記電極法に使用できる前記グルコース分析用試薬としては、例えば、酸化還元酵素および電子受容体を含む試薬があげられる。前記酸化還元酵素としては、例えば、前記エレクトロクロミック物質を含む前記試薬に使用した酵素と同様のものがあげられる。前記電子受容体としては、例えば、フェリシアン化カリウム、ｐ−ベンゾキノン、フェナジンメトサルフェート、インドフェノールおよびその誘導体、β−ナフトキノン−４−スルホン酸カリウム、メチレンブルー、フェロセンおよびその誘導体、オスニウム錯体、ルテニウム錯体、ＮＡＤ＋、ＮＡＤＰ＋、ピロロキノン（ＰＱＱ）等が使用できる。このようなグルコース分析用試薬を用いた場合、例えば、つぎのようにして前記グルコースを分析できる。すなわち、前記酸化還元酵素の触媒反応により、前記グルコースが酸化され、同時に、前記電子受容体が還元される。そして、前記還元された電子受容体を電気化学的手法により再酸化する。この再酸化により得られる酸化電流値が、前記グルコース量に対応することから、前記電流を測定することによって、間接的に前記グルコースを定量できる。前記電極法用の電極としては、特に限定されないが、例えば、金電極、カーボン電極、銀電極等があげられる。前記電極法用の電極の形態も、特に限定されないが、例えば、膜状の電極表面にＧＯＤ酵素膜を固定化した電極（グルコース電極膜）であってもよい。【００３２】
本発明の分析チップにおいて、前記グルコースの分析は、例えば、キャピラリー電気泳動法により行われてよい。この場合の分析手段は、特に限定されないが、例えば、本発明の分析チップが、さらに、間接吸光法（インダイレクトＵＶ検出法）により前記グルコースを分析する検出器を含むことが好ましい。【００３３】
本発明の分析チップにおいて、前記グルコースの分析が、キャピラリー電気泳動法で行われる場合には、前記グルコースが、イオン性官能基を導入したグルコース誘導体であることが、分析精度等の観点から好ましい。前記グルコースにイオン性官能基を導入して誘導体とする方法としては、特に限定されないが、例えば、アルカリ条件下で、前記グルコースとホウ酸とでホウ酸錯体を形成する方法が挙げられる。前記ホウ酸錯体は、陰イオン性であるので、キャピラリー電気泳動させることが可能である。また、前記グルコースにイオン性官能基を導入して誘導体とする方法としては、例えば、４−アミノ安息香酸エチルエステルで前記グルコースの誘導体を形成する方法も挙げられる。前記グルコースの誘導体は、陽イオン性であるので、キャピラリー電気泳動させることが可能である。【００３４】
本発明の分析チップにより分析される前記糖化ヘモグロビンは、特に制限されないが、例えば、ＨｂＡ１ｃ、不安定型ＨｂＡ１ｃ、ＧＨｂＬｙｓ等が挙げられ、ＨｂＡ１ｃが特に好ましい。【００３５】
本発明の分析チップにおいて、前記基板が、上基板と下基板とを含み、
前記上基板には、複数の貫通孔が形成されており、
前記下基板上には、溝が形成されており、
前記下基板上に前記上基板が積層され、
前記上基板に形成された複数の貫通孔の底部が、前記下基板で封止されることで形成される空間が前記複数の液槽となり、
前記下基板上に形成された溝の上部が、前記上基板で封止されることで形成される空間が前記キャピラリー流路となっていてもよい。【００３６】
本発明の分析チップにおいて、前記基板上に複数の凹部および溝が形成され、
前記基板表面が、前記複数の凹部に対応した位置に穴のあいたシール材でシールされ、
前記基板上に形成された複数の凹部が、前記複数の液槽となり、
前記基板上に形成された溝の上部が、前記シール材で封止されることで形成される空間が前記キャピラリー流路となっていてもよい。【００３７】
本発明の分析チップにおいて、さらに、シール材を含み、
前記基板には、複数の貫通孔が形成されており、
前記基板の底面には、溝が形成され、
前記基板の底面が、前記シール材でシールされ、
前記基板に形成された複数の貫通孔の底部が、前記シール材で封止されることで形成される空間が前記複数の液槽となり、
前記基板の底面に形成された溝の下部が、前記シール材で封止されることで形成される空間が前記キャピラリー流路となっていてもよい。【００３８】
本発明の分析チップにおいて、前記基板とは別の部材であるキャピラリー管で前記複数の液槽が連通され、前記キャピラリー管が前記キャピラリー流路となってもよい。前記キャピラリー管の材質は、特に制限されない。前記キャピラリー管の材質としては、例えば、ガラス、溶融シリカ、プラスチック等が挙げられる。前記ガラス製および前記溶融シリカ製のキャピラリー管は、市販品を用いてもよい。前記プラスチック製のキャピラリー管も、市販品を使用してもよく、例えば、ポリメチルメタクリレート、ポリカーボネート、ポリスチレン、ポリテトラフルオロエチレン（ＰＴＦＥ）、ポリエーテルエーテルケトン（ＰＥＥＫ）等から形成されたキャピラリー管が挙げられる。【００３９】
本発明の分析チップにおいて、前記複数の液槽の容積は、特に制限されないが、例えば、それぞれ、１〜１０００ｍｍ３の範囲であり、好ましくは、５０〜１００ｍｍ３の範囲である。【００４０】
本発明の分析チップにおいて、さらに、複数のキャピラリー電気泳動法用の電極を有し、
前記複数のキャピラリー電気泳動法用の電極は、それぞれ、その一端が前記複数の液槽内に位置するように配置されていてもよい。【００４１】
本発明の分析装置は、さらに、電極法のための電極（陽極および陰極）を含んでもよい。
【実施例】
【００４２】
つぎに、本発明の実施例について説明する。ただし、本発明は、下記の実施例によってなんら限定ないし制限されない。【００４３】
（実施例１）
図１に、本例の分析チップを示す。図１（Ａ）は、この例の分析チップの平面図であり、図１（Ｂ）は、図１（Ａ）のＩ−Ｉにおける断面図であり、図１（Ｃ）は、図１（Ａ）のＩＩ−ＩＩにおける断面図である。また、同図において、分かりやすくするために、各構成要素の大きさや比率等は、実際と異なっている。図示のように、この分析チップは、下基板１上に上基板４が積層されて、構成されている。前記上基板４には、複数（この例では４つ）の貫通孔が形成されている。前記上基板４に形成された４つの貫通孔の底部が、前記下基板１で封止されることで、４つの液槽２ａ〜ｄが形成されている。前記下基板１上には、十字状の溝が形成されている。前記下基板１上に形成された十字状の溝の上部が、前記上基板４で封止されることで、試料分析用のキャピラリー流路３ｘと試料導入用のキャピラリー流路３ｙとが形成されている。前記４つの液槽２ａ〜ｄは、第１の導入槽２ａ、第１の回収槽２ｂ、第２の導入槽２ｃおよび第２の回収槽２ｄを含む。前記第１の導入槽２ａと前記第１の回収槽２ｂとは、前記試料分析用のキャピラリー流路３ｘで連通されている。前記第１の導入槽２ｃと前記第２の回収槽２ｄとは、前記試料導入用のキャピラリー流路３ｙで連通されている。前記試料分析用のキャピラリー流路３ｘと前記試料導入用のキャピラリー流路３ｙとは、交差している。前記試料分析用のキャピラリー流路３ｘと前記試料導入用のキャピラリー流路３ｙとは、前記交差部分で連通されている。なお、この例の分析チップは、直方体状である。ただし、本発明は、これに限定されない。本発明の分析チップは、前記糖化ヘモグロビンおよび前記グルコースの分析に支障をきたさなければ、いかなる形状であってもよい。また、この例の分析チップの平面形状は、長方形である。ただし、本発明は、これに限定されない。本発明の分析チップの平面形状は、正方形やその他の形状であってもよい。そして、この例の分析チップでは、前記試料分析用のキャピラリー流路３ｘと前記試料導入用のキャピラリー流路３ｙの最大長さは、異なっている。ただし、本発明は、これに限定されない。本発明の分析チップにおいて、前記試料分析用のキャピラリー流路３ｘと前記試料導入用のキャピラリー流路３ｙの最大長さは、同じであってもよい。さらに、この例の分析チップは、２本のキャピラリー流路（３ｘ、３ｙ）を含む。ただし、本発明の分析チップは、これに限定されない。本発明の分析チップは、例えば、前記試料分析用のキャピラリー流路３ｘのみを含んでもよい。この場合には、前記下基板１上に、前記第１の導入槽２ａおよび前記第１の回収槽２ｂのみが形成され、前記第１の導入槽２ａと前記第１の回収槽２ｂとが、前記試料分析用のキャピラリー流路３ｘで連通される。また、この分析チップにおいて、前記電極法により前記グルコースを分析する場合、前記電極法用の電極（陰極および陽極）および前記グルコース分析用試薬（図示せず）の位置は、特に制限されないが、前記４つの液槽２ａ〜ｄの少なくとも一つの槽の内部に位置することが好ましい。例えば、前記第２の導入槽２ｃが、その内部に前記電極法用の電極（陰極および陽極）および前記グルコース分析用試薬を有していてもよい。また、例えば、前記酸化還元反応に伴って発色する試薬を用いて前記グルコースを分析する場合、前記グルコース分析用試薬が含まれる部位は、特に制限されないが、例えば、前記４つの液槽２ａ〜ｄのうち少なくとも一つの内部に含まれることが好ましい。前記４つの液槽２ａ〜ｄのうち、いずれか一つのみ、例えば、前記第２の導入槽２ｃが、その内部に前記グルコース分析用試薬を含んでいてもよい。さらに、この例の分析チップは、２枚の基板（上基板４および下基板１）を含む。ただし、本発明の分析チップは、これに限定されない。本発明の分析チップは、例えば、後述のように、１枚の基板で構成されてもよい。【００４４】
つぎに、この例の分析チップの製造方法について説明する。ただし、前記分析チップは、下記の製造方法以外の方法で製造されてもよい。【００４５】
この例の分析チップにおいては、前記下基板１として、例えば、ガラス、ポリマー材料等から形成されたものが使用できる。前記ガラス材料としては、例えば、合成石英ガラス、ホウケイ酸ガラス等が挙げられる。前記ポリマー材料としては、例えば、ポリメチルメタクリレート（ＰＭＭＡ）、シクロオレフィンポリマー（ＣＯＰ）、ポリカーボネート（ＰＣ）、ポリジメチルシロキサン（ＰＤＭＳ）、ポリスチレン（ＰＳ）、ポリ乳酸等が挙げられる。【００４６】
この例の分析チップにおいては、前記下基板１の長さおよび幅が、前記チップ全体の最大長さおよび最大幅となる。したがって、前記下基板１の長さおよび幅は、前記チップ全体の最大長さおよび最大幅と同様にすればよい。この例の分析チップにおける前記下基板１の厚みは、例えば、０．１〜３ｍｍの範囲であり、好ましくは、０．１〜１ｍｍの範囲である。【００４７】
前記上基板４の材質は、後述の吸光度測定に支障のないものであれば、特に制限されない。前記上基板４としては、例えば、前記下基板１と同様の材質から形成されたものが使用できる。【００４８】
前記上基板４の長さおよび幅は、前記下基板１の長さおよび幅と同様である。前記上基板４の厚みは、前記複数の液槽２ａ〜ｄの容積等に応じて適宜に決定されるが、例えば、０．１〜３ｍｍの範囲であり、好ましくは、１〜２ｍｍの範囲である。【００４９】
前記十字状の溝（前記試料分析用のキャピラリー流路３ｘおよび前記試料導入用のキャピラリー流路３ｙ）の幅および深さは、前記キャピラリー流路の最大径から適宜決定されるが、例えば、その幅が、２５〜２００μｍの範囲、その深さが、２５〜２００μｍの範囲であり、好ましくは、その幅が、４０〜１００μｍの範囲、その深さが、２５〜２００μｍの範囲である。前記試料分析用のキャピラリー流路３ｘおよび前記試料導入用のキャピラリー流路３ｙの最大長さは、前述のとおりである。【００５０】
前記複数の液槽２ａ〜ｄの容積は、前述のとおりである。図１においては、前記複数の液槽２ａ〜ｄの形状は、円柱状である。ただし、本発明の分析チップは、これに限定されない。本発明の分析チップにおいて、前記複数の液槽の形状は、後述の試料の導入および回収に支障がないものであれば特に制限されず、例えば、四角柱状、四角錐状、円錐状、これらを組み合わせた形状等、任意の形状とすることができる。また、前記複数の液槽の容積および形状は、全て同じであってもよいし、それぞれ異なってもよい。【００５１】
この例の分析チップにおいて、前記チップ全体の最大厚みは、前記下基板１および前記上基板４の厚みの合計となる。前記チップ全体の最大厚みは、前述のとおりである。【００５２】
例えば、前記下基板１の材質が前記ガラスである場合には、前記分析チップは、例えば、つぎのようにして製造することができる。【００５３】
まず、図２（Ａ）に示すように、ガラス板２０表面を、クロムと金との合金２１によりマスクする。その後、前記合金２１の表面を、フォトレジスト２２によりコーティングする。【００５４】
つぎに、図２（Ｂ）に示すように、前記フォトレジスト２２表面に、前記試料分析用のキャピラリー流路３ｘおよび前記試料導入用のキャピラリー流路３ｙのレイアウトパターンをデザインした感光フィルムを密着させ、フォトマスク２３を作製する。ついで、前記フォトマスク２３の上から紫外線２４を照射することで露光する。【００５５】
前記露光により、図２（Ｃ）に示すように、露光部分の前記フォトレジスト２２を可溶化させて、前記レイアウトパターンを、前記合金２１上に形成（転写）する。【００５６】
つぎに、図２（Ｄ）に示すように、露出した前記合金２１を王水で除去する。【００５７】
つぎに、図２（Ｅ）に示すように、前記ガラス板２０上にフッ化水素で前記レイアウトパターンをエッチングする。【００５８】
つぎに、図２（Ｆ）に示すように、前記フォトレジスト２２および前記合金２１を除去することで、前記下基板１を得る。【００５９】
つぎに、前記上基板４を作製する（図示せず）。前記上基板４への前記４つの貫通孔の形成方法は、特に制限されない。例えば、前記上基板４の材質が前記ガラスの場合、前記形成方法としては、例えば、超音波加工等が挙げられる。例えば、前記上基板４の材質が前記ポリマー材料の場合、前記形成方法としては、例えば、金型を用いた射出成型、注入成型、プレス成型等の成型法や切削加工法等が挙げられる。前記４つの貫通孔は、それぞれ別個に形成してもよいし、全てを同時に形成してもよい。前記４つの貫通孔を別個に形成する場合には、どの順序で形成してもよい。前記金型を用いた方法等により、前記４つの貫通孔の全てを同時に形成することが、工程が少なくてすみ、好ましい。【００６０】
最後に、前記下基板１と前記上基板４とを、積層することで、この例の分析チップを製造することができる。なお、前記下基板１と前記上基板４との積層方法は、特に制限されないが、加熱による溶着が好ましい。また、図２においては、図１（Ｃ）に示した断面における製造工程を示したが、図１（Ｂ）に示した断面においても、同様の製造工程をたどることとなる。【００６１】
例えば、前記下基板１の材質が前記ポリマー材料である場合には、前記分析チップは、例えば、つぎのようにして製造することができる。【００６２】
まず、図３（Ａ）に示すように、シリコン板３１表面を、フォトレジスト３２によりコーティングする。【００６３】
つぎに、図３（Ｂ）に示すように、前記フォトレジスト３２表面に、前記試料分析用のキャピラリー流路３ｘおよび前記試料導入用のキャピラリー流路３ｙのレイアウトパターンをデザインした感光フィルムを密着させ、フォトマスク３３を作成する。ついで、前記フォトマスク３３の上から紫外線３４を照射することで露光する。【００６４】
前記露光により、図３（Ｃ）に示すように、露光部分の前記フォトレジスト３２を可溶化させて、前記レイアウトパターンを、前記シリコン板３１上に形成（転写）する。【００６５】
つぎに、図３（Ｄ）に示すように、前記シリコン板３１上に前記レイアウトパターンをエッチングし、元型３５を作製する。前記エッチングとしては、例えば、ドライエッチング、異方性エッチング等が挙げられる。前記エッチングは、前記試料分析用のキャピラリー流路３ｘおよび前記試料導入用のキャピラリー流路３ｙの寸法精度や表面平滑性の観点から、ドライエッチングであることが好ましい。【００６６】
つぎに、図３（Ｅ）に示すように、前記元型３５に対し金属ニッケル電鋳を行い、射出成型用金型３６を作製する。【００６７】
つぎに、図３（Ｆ）に示すように、前記射出成型用金型３６を用いて、前記ポリマー材料からなる下基板１を射出成型により作製する。【００６８】
つぎに、前記上基板４を作製する（図示せず）。前記上基板４の作製方法は、前記下基板１の材質が前記ガラスの場合と同様である。【００６９】
最後に、前記下基板１と前記上基板４とを積層することで、この例の分析チップを製造することができる。前記下基板１と前記上基板４との積層方法は、前記下基板１の材質が前記ガラスの場合と同様である。なお、図３においては、図１（Ｃ）に示した断面における製造工程を示したが、図１（Ｂ）に示した断面においても、同様の製造工程をたどることとなる。【００７０】
前述のとおり、本発明の分析チップは、さらに、複数のキャピラリー電気泳動用の電極を有してもよい。図４に、前記複数のキャピラリー電気泳動法用の電極を有するこの例の分析チップを示す。同図において、図１と同一部分には、同一符号を付している。図示のように、この分析チップは、４本のキャピラリー電気泳動法用の電極６ａ〜ｄを有する。前記４本のキャピラリー電気泳動法用の電極６ａ〜ｄは、それぞれ、その一端が前記複数の液槽２ａ〜ｄ内に位置するように配置されている。前記４本のキャピラリー電気泳動法用の電極６ａ〜ｄは、前記上基板４に埋め込まれている。前記４本のキャピラリー電気泳動法用の電極６ａ〜ｄは、例えば、前記上基板４の製造時に、前記４本のキャピラリー電気泳動法用の電極６ａ〜ｄの導入孔を前記上基板４側面に形成しておくことで、容易に配置することができる。なお、本発明の分析チップにおいて、前記複数のキャピラリー電気泳動法用の電極は、任意の構成部材である。前記複数のキャピラリー電気泳動法用の電極は、例えば、前記分析チップの使用時に、前記複数の液槽内に挿入してもよい。【００７１】
前記複数のキャピラリー電気泳動法用の電極６ａ〜ｄは、電気泳動法に使用可能なものであればどのようなものでもよい。前記複数のキャピラリー電気泳動法用の電極６ａ〜ｄは、例えば、それぞれ、ステンレス鋼（ＳＵＳ）製電極、白金（Ｐｔ）電極、金（Ａｕ）電極等である。【００７２】
本発明の分析チップは、さらに、前記糖化ヘモグロビンおよび前記グルコースを含む試料を溶血させ、且つ希釈する前処理槽を含んでいてもよい。前記試料の溶血処理は、特に制限されないが、例えば、前記試料を溶血剤で溶血させる処理であってもよい。前記溶血剤は、例えば、後述の試料中の血球成分の血球膜を破壊する。前記溶血剤としては、例えば、前記電気泳動液、サポニン、ナカライテスク（株）製の商品名「Ｔｒｉｔｏｎ  Ｘ−１００」等が挙げられ、特に好ましくは、前記電気泳動液である。前記前処理槽は、例えば、前記導入槽と連通されていることが好ましい。前記前処理槽は、それが連通される前記液槽、例えば前記第２の導入槽２ｃの近くなど、適当な場所に形成すればよい。前記前処理槽がある場合には、後述の試料は、前記前処理槽に導入される。これにより前処理された前記試料は、前記前処理槽とそれが連通される前記液槽、例えば、前記第２の導入槽２ｃとを結ぶ流路により、前記第２の導入槽２ｃへと導入される。また、前記前処理槽があり、且つ、前記電極法により前記グルコースを分析する場合は、例えば、前記４つの液槽２ａ〜ｄの少なくとも一つの槽（例えば、前記第２の導入槽２ｃ）に加え、またはそれに代えて、前記前処理槽が、前記電極法用の電極（陰極および陽極）および前記グルコース分析用試薬を含んでいてもよい。前記前処理槽があり、且つ、前記酸化還元反応に伴って発色する試薬を用いて前記グルコースを分析する場合は、例えば、前記４つの液槽２ａ〜ｄの少なくとも一つの槽（例えば、前記第２の導入槽２ｃ）に加え、またはそれに代えて、前記前処理槽が、前記グルコース分析用試薬を含んでいてもよい。前記前処理槽は、前記試料を溶血させるための槽と前記試料を希釈させるための槽との２つの槽が連通された構成であってもよい。【００７３】
図５に、この例の分析チップを含む分析装置の一例を示す。同図において、図１および図４と同一部分には、同一符号を付している。図示のように、この分析装置は、分析部７を含む。この例の分析装置においては、前記分析部７が、検出器（ライン検出器）である。前記ライン検出器は、前記試料分析用のキャピラリー流路３ｘと前記試料導入用のキャピラリー流路３ｙとの交差部分より前記第１の回収槽２ｂ側の前記試料分析用のキャピラリー流路３ｘ上部に位置するように、前記上基板４上に配置されている。前記ライン検出器は、光源および検出部を内蔵する。前記ライン検出器は、前記光源から試料に向けて光を発し、試料からの反射光を前記検出部で検出することで、吸光度を測定する。前記分析部７は、前記ライン検出器に限定されず、前記糖化ヘモグロビンの分析を行えるものであれば、いかなるものであってもよい。例えば、前記分析部７は、前記分析チップの下方に配置された光源と、前記ライン検出器の配置箇所に対応する位置に配置された検出部とで構成されていてもよい。この場合には、前記光源から試料に向けて光を発し、試料からの透過光を前記検出部で検出することで、吸光度を測定する。【００７４】
図６に、この例の分析チップを含む分析装置のその他の例を示す。同図において、図５と同一部分には、同一符号を付している。図示のとおり、この例の分析装置は、分析部７が異なること以外、図５に示した分析装置と同様の構成である。この例のように、前記分析部７は、１点で吸光度を測定するものであってもよい。【００７５】
つぎに、図５および６に示した分析装置を使用した場合を例に、本発明における前記糖化ヘモグロビンおよび前記グルコースの分析方法について説明する。【００７６】
この例の分析装置（分析チップ）を用いた糖化ヘモグロビンの分析は、キャピラリー電気泳動法により行われる。まず、前記試料分析用のキャピラリー流路３ｘおよび前記試料導入用のキャピラリー流路３ｙに、電気泳動液を、圧力または毛細管作用によって充填する。前記電気泳動液は、前述のとおりである。【００７７】
なお、分析装置非使用時（非分析時）において、前記キャピラリー流路にあらかじめ電気泳動液が充填されていれば、前述の電気泳動液充填工程を省略し、ただちに以下の工程に移ることが可能であるため好ましい。【００７８】
つぎに、前記第２の導入槽２ｃに分析対象となる試料（前記糖化ヘモグロビンおよび前記グルコースを含む試料）を導入する。このとき、前記試料：電気泳動液（体積比）が、１：４〜１：９９の範囲となるように希釈された希釈試料が導入されることが好ましい。すなわち、本発明の（分析装置）分析チップを用いた糖化ヘモグロビンおよび前記グルコースの分析方法において、前記複数の液槽の少なくとも一つの槽に、前記糖化ヘモグロビンおよび前記グルコースを含む試料を電気泳動液で希釈した希釈試料を導入し、前記試料：電気泳動液（体積比）が、１：４〜１：９９の範囲であることが好ましい。ただし、前記体積比は、これに限定されない。前記分析装置（分析チップ）が、前記前処理槽（図示せず）を有する場合には、前記測試料を、前記前処理槽に導入し、そこで前処理する。ついで、前記キャピラリー電気泳動法用の電極６ｃおよび前記キャピラリー電気泳動法用の電極６ｄに電圧を印加して、前記試料導入用のキャピラリー流路３ｙの両端に電位差を生じさせる。これにより、前記試料分析用のキャピラリー流路３ｘと前記試料導入用のキャピラリー流路３ｙとの交差部分まで前記試料を移動させる。前記試料としては、例えば、全血、全血を溶血処理した溶血試料、遠心分離血液、自然沈降血液等が挙げられる。前記溶血処理としては、例えば、超音波処理、凍結解凍処理、加圧処理、浸透圧処理、界面活性剤処理等が挙げられる。前記溶血処理は、例えば、前記前処理槽で行ってもよい。また、別の装置等によりあらかじめ溶血処理を行った試料を、前記分析装置（分析チップ）に導入してもよい。前記試料は、例えば、水、生理食塩水、電気泳動液等により、適宜希釈されたものであってもよい。前記希釈は、例えば、前記前処理槽で行ってもよい。また、別の装置等によりあらかじめ希釈処理を行った希釈試料を、分析装置（分析チップ）に導入してもよい。【００７９】
前記キャピラリー電気泳動法用の電極６ｃと前記キャピラリー電気泳動法用の電極６ｄとの間の電位差は、例えば、０．５〜５ｋＶの範囲である。【００８０】
つぎに、前記キャピラリー電気泳動法用の電極６ａおよび前記キャピラリー電気泳動法用の電極６ｂに電圧を印加して、前記試料分析用のキャピラリー流路３ｘの両端に電位差を生じさせる。このように、両端に電位差があるキャピラリー流路を、前記試料導入用のキャピラリー流路３ｙから前記試料分析用のキャピラリー流路３ｘに瞬間的に切り替えることにより、図５および６に矢印で示すように、前記試料８を、前記試料分析用のキャピラリー流路３ｘと前記試料導入用のキャピラリー流路３ｙとの交差部分から、前記第１の回収槽２ｂ側に移動させる。【００８１】
前記キャピラリー電気泳動法用の電極６ａと前記キャピラリー電気泳動法用の電極６ｂとの間の電位差は、例えば、０．５〜５ｋＶの範囲である。【００８２】
つぎに、前記検出器７により、移動速度の差により分離された前記試料中の各成分を検出する。これにより、前記試料中の各成分の分析（分離測定）が可能である。本発明によれば、ヘモグロビン（Ｈｂ）を含む試料中の糖化ヘモグロビンと他の成分とを、高精度で分析（分離測定）可能である。【００８３】
この例の分析装置（分析チップ）が、例えば、前述の電極法により前記グルコースを分析する場合、前記グルコースの分析は、例えば、つぎのような測定機器（図示せず）を用いて行われる。前記測定機器は、電源および電流計を含む。まず、前記電極法用の電極（陰極および陽極）を、前記電源に接続し、前記電極法用の電極と前記電源との間に前記電流計を配置する。つぎに、前記電極法用の電極に電圧を印加する。その後、前記試料が、前記電極法用の電極および前記グルコース分析用試薬が配置された槽に到達した際の前記酸化電流値を測定する。最後に、前記酸化電流値をもとに、前記グルコースの定量を行う。前記測定機器は、本発明の分析装置（分析チップ）の一部であってもよいし、外部の機器であってもよい。【００８４】
この例の分析装置（分析チップ）が、例えば、前述の酸化還元反応に伴って発色する試薬を用いた方法により前記グルコースを分析する場合、前記グルコースの分析は、例えば、前記光学的測定機器を用いた手段により行われる。具体的には、前記試料が、前記グルコース分析用試薬が配置された槽に到達した際の前記試薬の発色（色調変化）を測定し、前記発色（色調変化）の程度から、前記グルコースの定量を行う。【００８５】
なお、本発明の分析装置（分析チップ）は、前記糖化ヘモグロビンと前記グルコースの両方を分析可能であるが、片方のみを分析してもよい。例えば、まず、前記グルコースを分析し、測定された前記グルコースの量等に応じ、糖化ヘモグロビン分析を実施するか中止するかの判断を行ってもよい。このようにすれば、糖尿病合併症の診断等をさらに効率的に行うことができる。前記糖化ヘモグロビン分析を実施するか中止するかの判断は、例えば、糖尿病診断（病型分類）のフローチャートに従って行ってもよい。そのような判断は、例えば、外部に接続した電子計算機により自動的に行ってもよい。また、この場合、前記グルコースの分析結果と同時に、それにより判定された糖尿病病型分類を同時に出力してもよい。【００８６】
また、この例の分析装置（分析チップ）を用いて、キャピラリー電気泳動法により、前記糖化ヘモグロビンと前記グルコースとを同時に分析することも可能である。この場合においては、前述のとおり、前記グルコースが、イオン性官能基を導入したグルコース誘導体であることが、分析精度等の観点から好ましい。この場合における前記グルコースの分析は、例えば、前記キャピラリー電気泳動法を用いた糖化ヘモグロビンの分析と同様にして行うことができる。【００８７】
（実施例２）
図７に、本例の分析チップを示す。同図において、図１と同一部分には、同一符号を付している。この例の分析チップでは、基板（下基板）１に、複数（この例では４つ）の凹部および十字状の溝が形成されている。前記基板（下基板）１の表面は、前記４つの凹部に対応した位置に穴のあいたシール材（上基板）４でシールされている。前記基板（下基板）１上に形成された４つの凹部は、４つの液槽２ａ〜ｄとなっている。前記基板（下基板）１上に形成された十字状に溝の上部が、前記シール材（上基板）４で封止されることで、試料分析用のキャピラリー流路３ｘと試料導入用のキャピラリー流路３ｙとが形成されている。これらを除き、この例の分析チップは、図１に示した分析チップと同様の構成である。【００８８】
この例の分析チップは、例えば、つぎのようにして製造することができる。ただし、前記分析チップは、下記の製造方法以外の方法で製造されてもよい。【００８９】
前記基板（下基板）１としては、例えば、図１に示した分析チップの下基板１と同様の材質から形成されたものが使用できる。【００９０】
この例の分析チップにおいては、前記基板（下基板）１の長さおよび幅が、前記チップ全体の最大長さおよび最大幅となる。したがって、前記基板（下基板）１の長さおよび幅は、前記チップ全体の最大長さおよび最大幅と同様とすればよい。この例の分析チップにおける前記基板（下基板）１の厚みは、例えば、０．１〜３ｍｍの範囲であり、好ましくは、１〜２ｍｍの範囲である。【００９１】
前記シール材（上基板）４の材質も、特に制限されず、例えば、図１に示した分析チップの下基板１と同様の材質から形成されたものが使用できる。【００９２】
前記シール材（上基板）４の長さおよび幅は、前記下基板１の長さおよび幅と同様である。前記シール材（上基板）４の厚みは、例えば、５０〜１０００μｍの範囲であり、好ましくは、１００〜３００μｍの範囲である。【００９３】
前記シール材（上基板）４としては、例えば、前記４つの凹部（前記４つの液槽２ａ〜ｄ）に対応する位置に穴をあけた市販のシール材を用いてもよい。【００９４】
この例の分析チップにおいて、前記チップ全体の最大厚みは、前記基板（下基板）１および前記シール材（上基板）４の厚みの合計となる。前記チップ全体の最大厚みは、前述のとおりである。【００９５】
この例の分析チップの製造工程の一例を、下記に示す。ただし、前記分析チップは、下記の製造工程以外の工程で製造されてもよい。【００９６】
まず、前記基板（下基板）１を作製する。前記基板（下基板）１への前記試料分析用のキャピラリー流路３ｘおよび前記試料導入用のキャピラリー流路３ｙの形成方法は、特に制限されず、例えば、前記実施例１と同様にして形成すればよい。前記基板（下基板）１への前記４つの液槽２ａ〜ｄの形成方法も、特に制限されない。例えば、前記基板（下基板）１の材質が前記ガラスの場合、前記形成方法としては、例えば、超音波加工等が挙げられる。例えば、前記基板（下基板）１の材質が前記ポリマー材料の場合、前記形成方法としては、例えば、金型を用いた射出成型、注入成型、プレス成型等の成型法や切削加工法等が挙げられる。前記４つの液槽２ａ〜ｄは、それぞれ別個に形成してもよいし、全てを同時に形成してもよい。前記４つの液槽２ａ〜ｄを別個に形成する場合には、どの順序で形成してもよい。前記金型を用いた方法等により、前記４つの液槽２ａ〜ｄの全てを同時に形成することが、工程が少なくてすみ、好ましい。【００９７】
つぎに、前記４つの凹部（前記４つの液槽２ａ〜ｄ）に対応する位置に穴をあけたシール材（上基板）４で前記基板（下基板）１の表面をシールすることで、この例の分析チップを作製できる。【００９８】
この例の分析チップの構成は、図７の構成に限定されない。例えば、図４等と同様に、複数の電極を有していてもよいし、前述の前処理槽等を適宜有していてもよい。この例の分析チップを用いた分析装置の構成も、特に限定されず、例えば、図５または６の分析装置と同様の検出器を有していてもよい。さらに、前記分析装置を使用した前記糖化ヘモグロビンおよび前記グルコースの分析方法も、特に限定されず、例えば、図５または６に示した分析装置を使用した場合と同様の方法で実施できる。【００９９】
（実施例３）
図８に、本例の分析チップを示す。同図において、図１と同一部分には、同一符号を付している。この例の分析チップでは、基板（上基板）４に、複数（この例では４つ）の貫通孔が形成されている。前記基板（上基板）４の底面には、十字状の溝が形成されている。前記基板（上基板）４の底面は、シール材（下基板）１でシールされている。前記基板（上基板）４に形成された４つの貫通孔の底部が、前記シール材（下基板）１で封止されることで、４つの液槽２ａ〜ｄが形成されている。前記基板（上基板）に形成された十字状の溝の下部が、前記シール材で封止されることで、試料分析用のキャピラリー流路３ｘおよび試料導入用のキャピラリー流路３ｙが形成されている。これらを除き、この例の分析チップは、図１に示した分析チップと同様の構成である。【０１００】
この例の分析チップは、例えば、つぎのようにして製造することができる。ただし、前記分析チップは、下記の製造方法以外の方法で製造されてもよい。【０１０１】
前記基板（上基板）４としては、例えば、図１に示した分析チップの下基板１と同様の材質から形成されたものが使用できる。【０１０２】
この例の分析チップにおいては、前記基板（上基板）４の長さおよび幅が、前記チップ全体の最大長さおよび最大幅となる。したがって、前記基板（上基板）４の長さおよび幅は、前記チップ全体の最大長さおよび最大幅と同様とすればよい。この例の分析チップにおける前記基板（上基板）４の厚みは、例えば、０．１〜３ｍｍの範囲であり、好ましくは、１〜２ｍｍの範囲である。【０１０３】
前記シール材（下基板）１の材質も、特に制限されず、例えば、図１に示した分析チップの下基板１と同様の材質から形成されたものが使用できる。【０１０４】
前記シール材（下基板）１の長さおよび幅は、前記基板（上基板）４の長さおよび幅と同様である。前記シール材（上基板）４の厚みは、例えば、５０〜１０００μｍの範囲であり、好ましくは、１００〜３００μｍの範囲である。【０１０５】
前記シール材（下基板）１としては、例えば、市販のシール材を用いてもよい。【０１０６】
この例の分析チップにおいて、前記チップ全体の最大厚みは、前記基板（上基板）４および前記シール材（下基板）１の厚みの合計となる。前記チップ全体の最大厚みは、前述のとおりである。【０１０７】
この例の分析チップの製造工程の一例を、下記に示す。ただし、前記分析チップは、下記の製造工程以外の工程で製造されてもよい。【０１０８】
まず、前記基板（上基板）４を作製する。前記基板（上基板）４への前記試料分析用のキャピラリー流路３ｘおよび前記試料導入用のキャピラリー流路３ｙの形成方法は、特に制限されず、例えば、前記実施例１と同様にして形成すればよい。前記基板（上基板）４への前記４つの貫通孔の形成方法も、特に制限されず、例えば、前記実施例１と同様にして形成すればよい。【０１０９】
つぎに、シール材（下基板）１で前記基板（上基板）４の底面をシールすることで、この例の分析チップを作製できる。【０１１０】
この例の分析チップの構成は、図８の構成に限定されない。例えば、図４等と同様に、複数のキャピラリー電気泳動法用の電極を有していてもよいし、後述の前処理槽等を適宜有していてもよい。この例の分析チップを用いた分析装置の構成も、特に限定されず、例えば、図５または６の分析装置と同様の検出器を有していてもよい。さらに、前記分析装置を使用した糖化ヘモグロビンの分析方法も、特に限定されず、例えば、図５または６に示した分析装置を使用した場合と同様の方法で実施できる。【０１１１】
（実施例４）
図９に、本例の分析チップを示す。同図において、図１と同一部分には、同一符号を付している。この例の分析チップでは、基板が１枚のみであり、前記基板とは別の部材であるキャピラリー管で前記複数の液槽が連通されている。前記キャピラリー管は、４本のキャピラリー管３ｘ１、３ｘ２、３ｙ１および３ｙ２から構成されている。前記４本のキャピラリー管は、そのそれぞれの一端が、中心部ｃで集合し、連結している。この結果、前記４本のキャピラリー管は、その内部が連通されている。前記基板１には、前記４本のキャピラリー管をはめ込むための空洞が設けられている（図示せず）。前記キャピラリー管３ｘ１は、その他端が、前記第１の導入槽２ａの底面に位置するように、前記基板１中にはめ込まれている。前記キャピラリー管３ｘ２は、その他端が、前記第１の回収槽２ｂの底面に位置するように、前記基板１中にはめ込まれている。前記キャピラリー管３ｘ１および３ｘ２は、前記試料分析用のキャピラリー流路３ｘとなっている。前記キャピラリー管３ｙ１は、その他端が、前記第２の導入槽２ｃの底面に位置するように、前記基板１中にはめ込まれている。前記キャピラリー管３ｙ２は、その他端が、前記第２の回収槽２ｄの底面に位置するように、前記基板１中にはめ込まれている。前記キャピラリー管３ｙ１および３ｙ２は、前記試料導入用のキャピラリー流路３ｙとなっている。前記複数の液槽２ａ〜ｄは、それぞれ、前記基板１上に凹部として形成されている。前記基板１は、前記試料導入用のキャピラリー流路３ｙより第１の回収槽２ｂ側に直方体状の開口部（窓）９を有する。これらを除き、この例の分析チップは、図１に示した分析チップと同様の構成である。【０１１２】
この例の分析チップは、例えば、つぎのようにして製造することができる。ただし、前記分析チップは、下記の製造方法以外の方法で製造されてもよい。【０１１３】
前記基板１としては、例えば、図１に示した分析チップの下基板１と同様の材質から形成されたものが使用できる。【０１１４】
この例の分析チップにおいては、前記基板１の長さ、幅および厚みが、前記チップ全体の最大長さ、最大幅および最大厚みとなる。したがって、前記基板１の長さ、幅および厚みは、前記チップ全体の最大長さ、最大幅および最大厚みと同様とすればよい。【０１１５】
前記４本のキャピラリー管の内径は、それぞれ、前記キャピラリー流路の最大径のとおりである。前記４本のキャピラリー管の長さは、それぞれ、前記試料分析用のキャピラリー流路３ｘおよび前記試料導入用のキャピラリー流路３ｙの最大長さに従って決定される。【０１１６】
この例の分析チップの製造工程の一例を、下記に示す。ただし、前記分析チップは、下記の製造工程以外の工程で製造されてもよい。【０１１７】
まず、前記基板１を作製する。前記基板１への前記４つの液槽２ａ〜ｄおよび前記開口部（窓）９の形成方法は、特に制限されず、例えば、図６に示した電気泳動チップの４つの液槽２ａ〜ｄと同様の方法で形成できる。前記４つの液槽２ａ〜ｄおよび前記開口部（窓）９は、それぞれ別個に形成してもよいし、全てを同時に形成してもよい。前記４つの液槽２ａ〜ｄおよび前記開口部（窓）９を別個に形成する場合には、どの順序で形成してもよい。前記金型を用いた方法等により、前記４つの液槽２ａ〜ｄおよび前記開口部（窓）９の全てを同時に形成することが、工程が少なくてすみ、好ましい。【０１１８】
つぎに、前記４本のキャピラリー管を、前記基板１にはめ込む。このようにして、この例の分析チップを得ることができる。【０１１９】
図１０に、複数のキャピラリー電気泳動法用の電極を有するこの例の分析チップを示す。同図において、図４と同一部分には、同一符号を付している。図示のように、この分析チップでは、前記４本のキャピラリー電気泳動法用の電極６ａ〜ｄは、前記基板１に埋め込まれている。これを除き、この例の分析チップは、図４に示した分析チップと同様の構成である。前記４本のキャピラリー電気泳動法用の電極６ａ〜ｄは、例えば、前記基板１の製造時に、前記４本のキャピラリー電気泳動法用の電極６ａ〜ｄの導入孔を前記基板１側面に形成しておくことで、容易に配置することができる。【０１２０】
図１１に、この例の分析チップを含む分析装置の一例を示す。同図において、図５と同一部分には、同一符号を付している。図示のように、この分析装置では、分析部（ライン検出器）７が、前記キャピラリー管上に直接配置されている。また、この分析装置では、基板１に、前記４本のキャピラリー管をはめ込むための空洞に加え、前記分析部（ライン検出器）７をはめ込むための空洞が設けられている（図示せず）。これらを除き、この例の分析装置は、図５に示した分析装置と同様の構成である。この例の分析装置は、図１１の構成に限定されず、例えば、図６の分析装置と同様の検出器を有していてもよい。この例の分析装置を使用した前記糖化ヘモグロビンおよび前記グルコースの分析も、図５または６に示した分析装置を使用した場合と同様の方法で実施できる。【０１２１】
（実施例５）
図１２に、本例の分析チップを示す。同図において、図１と同一部分には、同一符号を付している。同図は、この例の分析チップの平面図である。図示のように、この分析チップは、下基板１（図示せず）上に、十字状の溝に代えてダブルＴ字状の溝が形成され、これにより、試料分析用のキャピラリー流路３ｘと試料導入用のキャピラリー流路３ｙとが形成されている。すなわち、まず、試料分析用のキャピラリー流路３ｘは、直線状であり、第１の導入槽２ａと第１の回収槽２ｂとは、前記試料分析用のキャピラリー流路３ｘで連通されている。前記試料分析用のキャピラリー流路３ｘの一部からは、第１の分岐流路１１ｘが分岐されている。前記第１の分岐流路１１ｘは、第２の導入槽２ｃに連通されている。前記第１の分岐流路１１ｘより下流側（同図において右側）の前記試料分析用のキャピラリー流路３ｘの一部からは、第２の分岐流路１１ｙが分岐されている。前記第２の分岐流路１１ｙは、前記第２の回収槽２ｄに連通されている。前記第１の分岐流路１１ｘと、前記第２の分岐流路１１ｙと、それらを結ぶ前記試料分析用のキャピラリー流路３ｘの一部とで前記試料導入用のキャピラリー流路３ｙが形成されている。前記第１の分岐流路１１ｘおよび前記第２の分岐流路１１ｙは、前記試料分析用のキャピラリー流路３ｘと略直交しており、前記試料分析用のキャピラリー流路３ｘとともにダブルＴ字状の溝を形成している。これらを除き、この例の分析チップは、図１に示した分析チップと同様の構成である。【０１２２】
また、この例の分析チップの構成は、図１２の構成に限定されない。例えば、図８と同様に１枚の基板のみから構成されていてもよい。また、図４および１０等と同様に、複数のキャピラリー電気泳動法用の電極を有していてもよいし、前述の前処理槽等を適宜有していてもよい。この例の分析チップの製造方法も、特に限定されず、例えば、前記実施例１〜４において説明した製造方法と同様でもよい。この例の分析チップを用いた分析装置の構成も、特に限定されず、例えば、図５、６または１１の分析装置と同様の検出器を有していてもよい。さらに、前記分析装置を使用した前記糖化ヘモグロビンおよび前記グルコースの分析方法も、特に限定されず、例えば、図５、６または１１に示した分析装置を使用した場合と同様の方法で実施できる。【０１２３】
（実施例６）
図１３に、本例の分析チップを示す。同図において、図１と同一部分には、同一符号を付している。同図は、この例の分析チップの平面図である。この例の分析チップにおいては、前記酸化還元反応に伴って発色する試薬を用いて前記グルコースを分析する。図示のように、この分析チップは、前記第２の導入槽２ｃの近くに、試薬槽１００が形成されている。前記試薬槽１００は、前記上基板４に形成された貫通孔の底部が前記下基板１で封止されることで形成されている。前記試薬槽１００は、前記試料分析用のキャピラリー流路３ｘおよび前記試料導入用のキャピラリー流路３ｙとは別の流路３ｗで前記第２の導入槽２ｃと連通されている。前記試薬槽１００は、前記酸化還元反応に伴って発色する試薬を含む。また、前記試薬槽１００は、例えば、キャピラリー電気泳動法用の電極等を有していてもよい。これらを除き、この例の分析チップは、図１に示した分析チップと同様の構成である。【０１２４】
この例の分析チップの構成は、図１３の構成に限定されない。例えば、図９と同様に１枚の基板のみから構成されていてもよい。また、図４および１０等と同様に、複数のキャピラリー電気泳動法用の電極を有していてもよいし、前述の前処理槽等を適宜有していてもよい。この例の分析チップの製造方法も、特に限定されず、例えば、前記実施例１〜４において説明した製造方法と同様でもよい。この例の分析チップを用いた分析装置の構成も、特に限定されず、例えば、図５、６または１１の分析装置と同様の検出器を有していてもよい。【０１２５】
さらに、前記分析装置を使用した前記糖化ヘモグロビンおよび前記グルコースの分析方法も、特に限定されないが、例えば、以下の通りである。すなわち、まず、前記第２の導入槽２ｃに、図５、６または１１に示した分析装置を使用した場合と同様の方法で試料を導入する。前述の前処理槽を有する場合は、それに導入してもよい。その後、前記試料を前記試薬槽１００内部に移動させ、そこで前記グルコースを分析する。前記試料を前記試薬槽１００内部に移動させる方法は、特に限定されないが、例えば、前記試薬槽１００内部に設けたキャピラリー電気泳動法用の電極に電圧を印加することにより行ってもよい。前記グルコースの分析方法も、特に限定されないが、例えば、図５、６または１１に示した分析装置を使用した場合と同様の方法で分析することができる。その後、図５、６または１１に示した分析装置を使用した場合と同様の方法で、前記試料導入用のキャピラリー流路３ｙの両端に電位差を生じさせ、さらに前記糖化ヘモグロビンを分析することができる。【０１２６】
（実施例７）
図１４に、本例の分析チップを示す。この例の分析チップでは、キャピラリー電気泳動法を用いて前記グルコースを分析する。同図において、図１と同一部分には、同一符号を付している。同図は、この例の分析チップの平面図である。図示のように、この分析チップは、第３の導入槽２ｅおよび第３の回収槽２ｆをさらに含み、それらがグルコース分析用のキャピラリー流路３ｚで連通されている。前記第３の導入槽２ｅおよび前記第３の回収槽２ｆは、他の４つの液槽と同様、前記上基板４に形成された貫通孔の底部が、前記下基板１で封止されることで、形成されている。前記グルコース分析用のキャピラリー流路３ｚは、他の２つのキャピラリー流路と同様、前記下基板１上に形成された溝の上部が、前記上基板４で封止されることで、形成されている。前記グルコース分析用のキャピラリー流路３ｚは、前記試料分析用のキャピラリー流路３ｘと平行に配置されており、前記試料導入用のキャピラリー流路３ｙと交差し、かつ、前記試料導入用のキャピラリー流路３ｙとは、前記交差部分で連通されている。そして、前記グルコース分析用のキャピラリー流路３ｚは、前記試料分析用のキャピラリー流路３ｘよりも前記第２の導入槽２ｃ寄りに形成されている。これらを除き、この例の分析チップは、図１に示した分析チップと同様の構成である。【０１２７】
この例の分析チップの構成は、図１４の構成に限定されない。例えば、図９と同様に１枚の基板のみから構成されていてもよい。また、図４および１０等と同様に、複数のキャピラリー電気泳動法用の電極を有していてもよいし、前述の前処理槽等を適宜有していてもよい。また、例えば、前記グルコース分析用のキャピラリー流路３ｚと前記試料分析用のキャピラリー流路３ｘとの配置が逆であってもよい。すなわち、前記グルコース分析用のキャピラリー流路３ｚが前記試料分析用のキャピラリー流路３ｘよりも前記第２の回収槽２ｄ寄りに形成されていてもよい。この例の分析チップの製造方法も、特に限定されず、例えば、前記実施例１〜４において説明した製造方法と同様でもよい。【０１２８】
この例の分析チップを用いた分析装置の構成も、特に限定されない。例えば、前記第３の導入槽２ｅおよび前記第３の回収槽２ｆは、他の４つの液槽と同様、キャピラリー電気泳動法用の電極（図示せず）を有していてもよい。また、前記グルコース分析用のキャピラリー流路３ｚが適宜なグルコース検出器を有していてもよい。前記グルコース検出器は、特に限定されないが、例えば、間接吸光法（インダイレクトＵＶ検出法）によりグルコースを分析する検出器等でもよい。その構造も、特に限定されないが、例えば、図５、６または１１の装置における分析部７と同様でもよい。これら以外は、この例の分析装置の構成は、図５、６または１１の分析装置と同様でもよい。この装置を用いた前記糖化ヘモグロビンおよび前記グルコースの分析方法も、特に限定されない。例えば、前記グルコース分析用のキャピラリー流路３ｚの両端に電圧を印加し、前記グルコース検出器により前記グルコースを分析する以外は、図５、６または１１の分析装置を用いた分析方法と同様でもよい。【０１２９】
本発明によれば、例えば、前記糖化ヘモグロビンおよび前記グルコースを精度よく分析することで、正確な血糖状態を把握することができる。これにより、例えば、糖尿病合併症予防を目的とした厳密な糖尿病治療が可能となる。また、本発明の分析チップおよび分析装置は、装置の小型化および低価格化により、小病院等にも導入可能となる。本発明の分析チップおよび分析装置は、構成が簡潔で簡便な分析が可能である。例えば、分析チップを使い捨てデバイスとすることで、後処理が不要となるため、さらに操作が簡便となる。さらに、装置の小型化および分析時間の短縮により、例えば、患者の目の前で即時に診断結果（分析結果）を提供すること等も可能である。
【産業上の利用可能性】
【０１３０】
本発明の分析チップは、装置の小型化、分析の簡略化および分析時間の短縮が可能で、且つ高精度で糖化ヘモグロビンおよびグルコースの分析が可能なものである。本発明の分析チップは、例えば、臨床検査、生化学検査、医学研究等の糖化ヘモグロビンおよびグルコースを分析する全ての分野に適用することができ、その用途は限定されず、広い分野に適用可能である。
【図１】
2008139867.tif 000003
【図２】
2008139867.tif 000004
【図３】
2008139867.tif 000005
【図４】
2008139867.tif 000006
【図５】
2008139867.tif 000007
【図６】
2008139867.tif 000008
【図７】
2008139867.tif 000009
【図８】
2008139867.tif 000010
【図９】
2008139867.tif 000011
【図１０】
2008139867.tif 000012
【図１１】
2008139867.tif 000013
【図１２】
2008139867.tif 000014
【図１３】
2008139867.tif 000015
【図１４】
2008139867.tif 000016
【国際調査報告】
2008139867.tif 000017
2008139867.tif 000018
2008139867.tif 000019
2008139867.tif 000020
2008139867.tif 000021